(57)【要約】      （修正有）【課題】落下水没物の自己浮上具を提供する。【解決手段】落下水没物の自己浮上具１０は、膨張時には大気中及び水中で一定の空間を占める、膨張と収縮が可能な袋状容器１１と外部からの流入路１２と逆止弁１３とで構成されている。流入路１２にはベルト取付用の溝１４が、前記袋状容器１１には膨張時の容量が大きく取れるようにマチ１５が設けられている。また、前記袋状容器１１は、最少容量に収縮しており、流入路１２又は流入路１２付近の内部に適量の発泡剤が納められている。【選択図】図１
2016146811.tif 000002
【特許請求の範囲】
【請求項１】
膨張時には大気中及び水中で一定の空間を占める、
膨張と収縮が可能な袋状容器であって、
該袋状容器に外部からの流入路を持ち、
該流入路に前記袋状容器内から外部への流出を止める逆止弁を持ち、
該逆止弁までの前記流入路又は前記袋状容器の内部に発泡剤を含むことを特徴とする落下水没物の自己浮上具。
【請求項２】
前記袋状容器又は前記流入路又は前記逆止弁の外周部に、前記落下水没物との連結を可能にする溝等の構造を有することを特徴とする請求項１に記載の落下水没物の自己浮上具。
【請求項３】
前記逆止弁のクラッキング圧（最低作動圧力）が２から１００キロパスカルであることを特徴とする請求項１に記載の落下水没物の自己浮上具。
【請求項４】
前記袋状容器が封筒様又は風船様に膨張・収縮することを特徴とする請求項１に記載の落下水没物の自己浮上具。
【発明の詳細な説明】
【技術分野】
【０００１】この発明は、釣り船や岸壁での魚釣り用具や船舶、桟橋、岸壁、橋梁等からの漁具、船具、工具、装着物などの落下水没物の自己浮上具に関する。
【背景技術】
【０００２】釣り竿の落下防止用具として、竿をロープで人体の一部や船縁の固定金具に繋ぐもの等が用いられている。また、救命胴衣として自動膨張式のものが知られている。
【先行技術文献】
【特許文献】
【０００３】
【特許文献１】特許出願平６−５０９８８
【発明の概要】
【発明が解決しようとする課題】
【０００４】釣り船や岸壁からの釣り人は、釣り竿操作の容易性や自由な体の動きを求め、釣り竿の落下予防のためのロープ等の取り付けを怠り、しばしば釣り竿を水中に落下させるという問題がある。【０００５】また、船舶、桟橋、岸壁、橋梁等における作業者も、自由な体の動きを求め、漁具、船具、工具、装着物などを水中に落下させやすいという問題がある。【０００６】特許文献１では、海難事故等を想定した自動膨張式救命胴衣が開示されているが、船や岸壁、桟橋など落差が大きく水深が深い水辺では常に、人とりわけ老人や子供が誤って水中に落下して、生命の危険に晒されることがあるという問題がある。【０００７】本発明は上記の問題点に鑑みてなされたもので、本発明の目的は、落下水没物の自己浮上具の提供にある。
【課題を解決するための手段】
【０００８】上記課題を達成するため、請求項１記載の発明は、膨張時には大気中及び水中で一定の空間を占める、膨張と収縮が可能な袋状容器であって、該袋状容器に外部からの流入路を持ち、該流入路に前記袋状容器内から外部への流出を止める逆止弁を持ち、該逆止弁までの前記流入路又は前記袋状容器の内部に発泡剤を含むことを特徴とする。【０００９】請求項１記載の発明によれば、水没時に水圧によって前記逆止弁が開き、前記袋状容器内に水が流入し、内部の前記発泡剤と水が化学反応を起こしガスが発生し、水面に浮上する。【００１０】請求項２記載の発明は、請求項１に記載の前記袋状容器又は前記流入路又は前記逆止弁の外周部に、前記落下水没物との連結を可能にする溝等の構造を有することを特徴とする。
請求項２記載の発明によれば、連結し一体化した前記袋状容器と前記流入路と前記逆止弁の外周部に、例えばベルト取付用の溝や穴等を設けることによって、落下が懸念される物に予め取り付けることができる。【００１１】請求項３記載の発明は、請求項１に記載の前記逆止弁のクラッキング圧（最低作動圧力）が２から１００キロパスカル（ＫＰａ）であることを特徴とする。
請求項３記載の発明によれば、落下水没物が水面から２０センチメートルから１０メートルの深さに落下したら逆止弁が開き、流入した水が袋状容器内の発泡剤と化学反応を始める。【００１２】請求項４記載の発明は、前記袋状容器が封筒様又は風船様に膨張・収縮することを特徴とする
請求項４記載の発明によれば、前記袋状容器の形が封筒様であれば、水中に落下することが懸念される物の形状に合わせて、折り畳んだり、筒状に丸めることによって、また、前記袋状容器が風船様であれば、例えば小さな凹部等に押し込むことによって、取り付けスペースを小さくすることができる。
【発明の効果】
【００１３】本発明によれば、落下水没物が水面から２０センチメートルから１０メートルの深さにまで落下したら、袋状容器内にガスが発生し、袋状容器と流入路と逆止弁と連結した落下水没物を水面に浮上させることが可能である。【００１４】袋状容器内での化学反応によるガスの充満までには、数十秒から数分の時間を要するので、落下物の水没後、直ちに逆止弁が開くことが望ましいが、２０センチメートル以下の浅い位置での水圧で開くことは、水に濡れただけで誤作動を招く可能性が高まるので好ましくない。【００１５】一方、５メートルから１０メートル程度の深さまで逆止弁が開かないようにクラッキング圧を５０から１００キロパスカルに設定することによって、水中作業用の工具や装着物等の落下紛失防止の用途がある。【００１６】ところで、津波に備える簡易浮き具として、栓をした２リットル入りペットボトルの空容器が有効であると言われている。本発明の袋状容器を２リットル程度の容量に設定し、且つ前記逆止弁のクラッキング圧を２キロパスカル程度の低圧に設定し、例えば防寒ジャケットの襟部に襟の形に合わせて袋状容器を収縮して取り付け、長い流入路を肩又は背中又は脇部に設け、襟部から２０センチメートル以上下部の脇下又は腰部に前記逆止弁を設けることによって、救命補助具として用いることが可能となる。
【図面の簡単な説明】
【００１７】
【図１】落下水没物の自己浮上具の概略構成図である。
【図２】逆止弁と流入口と袋状容器の一部を接合した断面図である。
【図３】実施例を示す概略構成図である。
【発明を実施するための形態】
【００１８】落下水没物の自己浮上具の構成について、図１と図２に基づいて説明する。図１に示すように、落下水没物の自己浮上具（１０）は、膨張時には大気中及び水中で一定の空間を占める、膨張と収縮が可能な袋状容器（１１）と外部からの流入路（１２）と逆止弁（１３）とで構成されている。
【００１９】前記流入路（１２）にはベルト取付用の溝（１４）が、前記袋状容器（１１）には膨張時の容量が大きく取れるようにマチ（１５）が設けられている。また、前記袋状容器（１１）は、最少容量に収縮しており、流入路（１２）又は流入路（１２）付近の内部に適量の発泡剤（２７）が納められている。
【００２０】前記発泡剤（２７）は、炭酸水素ナトリウム、炭酸ナトリウム、炭酸カルシウム、フマル酸等を成分とする粗い粒状あるいは錠剤状の固形物を用いる。
【００２１】前記発泡剤（２７）の発泡量を市販の発泡入浴剤を例にして示す。平成２７年２月１０日、室温摂氏１５度、内容積が７００ｃｃのビニル袋内に、花王株式会社製のバブ濃厚炭酸湯の欠片６グラムと２０ｃｃの水道水を入れると、内圧が発生するまで炭酸ガスが充満し、発泡が停止した。
【００２２】例えば、７００ｃｃの袋状容器（１１）を備える落下水没物の自己浮上具（１０）を用いると、空中での重量が１キログラム程度の釣り竿であれば、水中では該釣り竿の体積に相当する浮力が作用するので、該釣り竿の一部を浮上させることができる。
【００２３】また、前記発泡入浴剤の欠片５グラムと２０ｃｃの海水をビニル袋入れると、室温摂氏１５度で発生した炭酸ガス量は６００ｃｃ、海水１０ｃｃをビニル袋に入れてもほぼ同量の炭酸ガスが発生した。
【００２４】次に、図２に基づいて、前記袋状容器（１１）への圧力水の流入部の機構について説明する。図の左側から逆止弁（１３）流入路（１２）袋状容器（１１）の順に接合されている。
【００２５】圧力水は、逆止弁（１３）の弁座（２２）のセンター孔から弁体（２３）を押して侵入しようとするが、所定の水圧に至るまでは押しバネ（２４）が押し返す。
【００２６】落下水没物が、例えば２０センチメートルの深さを超えて深く沈むと、水圧によって弁体（２３）が押しバネ（２４）を押し返し、弁座（２２）と弁体（２３）が離れ（弁が開いて）、水が浸入する。浸入した水は、逆止弁本体（２１）の中を通り流入路（１２）を経て袋状容器（１１）に至る。
【００２７】逆止弁（１３）と流入路（１２）はねじ接合部（２５）で螺合し、流入路（１２）と袋状容器（１１）は接着部（２６）で接着又は溶接している。
【００２８】次に、図３に基づいて、釣り竿に落下水没物の自己浮上具（１０）を取り付けた実施例を説明する。釣り竿は、ロッド（３２）とグリップ（３４）とリール（３５）で構成されており、自己浮上具（１０）は、逆止弁（１３）と筒状に変形した袋状容器（３１）で構成されている。
【００２９】自己浮上具（１０）は、取付用ベルト（３３）で釣り竿のロッド（３２）に固く繋がれている。取付用ベルト（３３）は、マジックテープと俗称される面ファスナーにて脱着が容易なものが好ましい。
【００３０】逆止弁（１３）がリール（３５）側に、筒状に変形した袋状容器（３１）がグリップ（３４）側になるように、取付用ベルト（３３）を用いて自己浮上具（１０）をロッド（３２）に取り付けた釣り竿が、落下し水没したら、逆止弁（１３）から水が浸入し、筒状に変形した袋状容器（３１）が膨らんで、グリップ（３４）側に伸びて開いて釣り竿はグリップ（３４）側から浮き上がる。
【００３１】リール（３５）付きの釣り竿のリール（３５）部は重く、また、電動式リール等の高価な物も多い。船釣りや岸壁などでの魚釣りで、釣り竿を水没させると、水深が深いので、回収が困難な場合がある。
【００３２】本発明は、本発明の広義の精神と範囲を逸脱することなく、様々な実施の形態及び変形が可能とされるものである。また、上述した実施の形態は、本発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、本発明の範囲内とみなされる。
【符号の説明】
【００３３】１０  自己浮上具
１１  袋状容器
１２  流入路
１３  逆止弁
１４  ベルト取付用の溝
１５  マチ
２０  水の流入部
２１  逆止弁本体
２２  弁座
２３  弁体
２４  押しバネ
２５  ねじ接合部
２６  接着部
２７  発泡剤
３０  釣り竿と自己浮上具
３１  筒状に変形した袋状容器
３２  ロッド
３３  取付用ベルト
３４  グリップ
３５  リール
【図１】
2016146811.tif 000003
【図２】
2016146811.tif 000004
【図３】
2016146811.tif 000005